(57)【要約】【課題】記録画質の設定を容易に行うようにすることを目的とする。【解決手段】設定された記録画質を検出する記録画質検出手段と、設定された撮影モードを検出する撮影モード検出手段と、前記記録画質検出手段により検出された記録画質で画像データを記録する記録処理手段とを有し、前記記録画質検出手段により第１の記録画質のみを検出すると共に、前記撮影モード検出手段により所定の撮影モードを検出する場合、前記記録処理手段は、前記記録画質検出手段により検出された前記第１の記録画質で画像データを記録すると共に第２の記録画質で画像データを記録することを特徴とする。【選択図】図４
2010093458.tif 000002
【特許請求の範囲】
【請求項１】
設定された記録画質を検出する記録画質検出手段と、
設定された撮影モードを検出する撮影モード検出手段と、
前記記録画質検出手段により検出された記録画質で画像データを記録する記録処理手段とを有し、
前記記録画質検出手段により第１の記録画質のみを検出すると共に、前記撮影モード検出手段により所定の撮影モードを検出する場合、
前記記録処理手段は、前記記録画質検出手段により検出された前記第１の記録画質で画像データを記録すると共に第２の記録画質で画像データを記録することを特徴とする撮像装置。
【請求項２】
前記記録画質検出手段により前記第１の記録画質のみを検出すると共に、前記撮影モード検出手段により前記所定の撮影モードと異なる撮影モードを検出する場合、
前記記録処理手段は、前記記録画質検出手段により検出された前記第１の記録画質のみで画像データを記録することを特徴とする請求項１に記載の撮像装置。
【請求項３】
前記記録画質を設定するための設定画面を表示する表示処理手段と、
前記表示処理手段により表示された設定画面において、ユーザが選択した記録画質を検出する選択検出手段とを更に有し、
前記選択検出手段により前記第１の記録画質のみを検出する場合、
前記表示処理手段は、前記第２の記録画質の画像データも記録する旨の表示をすることを特徴とする請求項１又は２に記載の撮像装置。
【請求項４】
前記所定の撮影モードとは、全ての撮影条件を自動的に設定する撮影モード及びユーザが選択するシーンの撮影条件に自動的に設定する撮影モードの少なくとも何れか一つを含むことを特徴とする請求項１乃至３の何れか１項に記載の撮像装置。
【請求項５】
前記第１の記録画質とは、画像処理をする前の記録画質であることを特徴とする請求項１乃至４の何れか１項に記載の撮像装置。
【請求項６】
前記第１の記録画質とは、ＲＡＷで記録される記録画質であることを特徴とする請求項１乃至５の何れか１項に記載の撮像装置。
【請求項７】
前記第２の記録画質とは、非可逆圧縮方式で記録される記録画質であることを特徴とする請求項１乃至６の何れか１項に記載の撮像装置。
【請求項８】
前記第２の記録画質とは、ＪＰＥＧで記録される記録画質であることを特徴とする請求項１乃至７の何れか１項に記載の撮像装置。
【請求項９】
設定された記録画質を検出する記録画質検出ステップと、
設定された撮影モードを検出する撮影モード検出ステップと、
前記記録画質検出ステップにより検出された記録画質で画像データを記録する記録処理ステップとを有し、
前記記録画質検出ステップにより第１の記録画質のみを検出すると共に、前記撮影モード検出ステップにより所定の撮影モードを検出する場合、
前記記録処理ステップでは、前記記録画質検出ステップにより検出された第１の記録画質で画像データを記録すると共に第２の記録画質で画像データを記録することを特徴とする撮像装置における記録処理方法。
【請求項１０】
設定された記録画質を検出する記録画質検出ステップと、
設定された撮影モードを検出する撮影モード検出ステップと、
前記記録画質検出ステップにより検出された記録画質で画像データを記録する記録処理ステップとをコンピュータに実行させるためのプログラムであって、
前記記録画質検出ステップにより第１の記録画質のみを検出すると共に、前記撮影モード検出ステップにより所定の撮影モードを検出する場合、
前記記録処理ステップでは、前記記録画質検出ステップにより検出された第１の記録画質で画像データを記録すると共に第２の記録画質で画像データを記録することを特徴とするプログラム。
【発明の詳細な説明】
【技術分野】
【０００１】
本発明は、画像データを記録する撮像装置、撮像装置における記録処理方法及びプログラムに関するものである。
【背景技術】
【０００２】
従来から、撮影条件のパラメータを自動的に設定する自動モード（簡単撮影モード）と、撮影条件のパラメータを手動で設定する手動モード（応用撮影モード）とを有するカメラが知られている（例えば、特許文献１参照）。
このようなカメラには、カメラの知識が豊富でないユーザでも使い易くするために、簡単撮影モードでは、一部のビューアでしか表示できないＲＡＷを記録画質として設定できないようにしたものがある。一方、応用撮影モードでは、ユーザはＲＡＷを記録画質として設定することができる。したがって、ユーザは、簡単撮影モードと応用撮影モードとでそれぞれ異なるようにＲＡＷを記録画質として設定することがある。
【０００３】
【特許文献１】特開平５−６４０６２号公報
【発明の開示】
【発明が解決しようとする課題】
【０００４】
簡単撮影モードと応用撮影モードとを併用するユーザは、記録画質を変更するときは、簡単撮影モード及び応用撮影モードのそれぞれで設定し直さなければならなかった。したがって、ユーザは記録画質を設定する操作が解りにくいという問題が生じていた。また、簡単撮影モードでも、ＲＡＷを記録画質として設定したいという要望があった。
本発明は、上述の問題点に鑑みてなされたものであって、撮影モードを設定することができる撮像装置において、記録画質の設定を容易に行うようにすることを目的とする。
【課題を解決するための手段】
【０００５】
本発明の撮像装置は、設定された記録画質を検出する記録画質検出手段と、設定された撮影モードを検出する撮影モード検出手段と、前記記録画質検出手段により検出された記録画質で画像データを記録する記録処理手段とを有し、前記記録画質検出手段により第１の記録画質のみを検出すると共に、前記撮影モード検出手段により所定の撮影モードを検出する場合、前記記録処理手段は、前記記録画質検出手段により検出された前記第１の記録画質で画像データを記録すると共に第２の記録画質で画像データを記録することを特徴とする。
また、本発明の撮像装置における記録方法は、設定された記録画質を検出する記録画質検出ステップと、設定された撮影モードを検出する撮影モード検出ステップと、前記記録画質検出ステップにより検出された記録画質で画像データを記録する記録処理ステップとを有し、前記記録画質検出ステップにより第１の記録画質のみを検出すると共に、前記撮影モード検出ステップにより所定の撮影モードを検出する場合、前記記録処理ステップでは、前記記録画質検出ステップにより検出された第１の記録画質で画像データを記録すると共に第２の記録画質で画像データを記録することを特徴とする。
また、本発明のプログラムは、設定された記録画質を検出する記録画質検出ステップと、設定された撮影モードを検出する撮影モード検出ステップと、前記記録画質検出ステップにより検出された記録画質で画像データを記録する記録処理ステップとをコンピュータに実行させるためのプログラムであって、前記記録画質検出ステップにより第１の記録画質のみを検出すると共に、前記撮影モード検出ステップにより所定の撮影モードを検出する場合、前記記録処理ステップでは、前記記録画質検出ステップにより検出された第１の記録画質で画像データを記録すると共に第２の記録画質で画像データを記録することを特徴とする。
【発明の効果】
【０００６】
本発明によれば、複数の撮影モードから任意の撮影モードを設定する場合であっても、記録画質の設定に戸惑わないで、画像データを記録することができる。
【発明を実施するための最良の形態】
【０００７】
以下、本発明の実施形態について図面を参照して説明する。
図１は、本実施形態に係る撮像装置の制御ブロックの一例を示す図である。本実施形態の撮像装置は、撮像した画像データに対して所定の画像処理をして記録する、記録処理装置としても機能する。
【０００８】
撮像装置１００は、シャッター１２、撮像素子１４、Ａ／Ｄ変換器１６、タイミング発生回路１８を含んでいる。シャッター１２は、露光量を制御する。撮像素子１４は、光学像を電気信号に変換する。Ａ／Ｄ変換器１６は、撮像素子１４のアナログ信号出力をディジタル信号（画像データ）に変換する。タイミング発生回路１８は、撮像素子１４、Ａ／Ｄ変換器１６、Ｄ／Ａ変換器２６にクロック信号や制御信号を供給する。なお、タイミング発生回路１８は、メモリ制御回路２２及びシステム制御回路５０により制御される。また、撮影レンズ３１０に入射した光線は、一眼レフ方式によって、後述する絞り３１２、レンズマウント３０６，１０６、ミラー１３０、シャッター１２を介して導かれ、光学像として撮像素子１４上に結像される。
【０００９】
また、撮像装置１００は、画像処理回路２０、システム制御回路５０、メモリ制御回路２２を含んでいる。
画像処理回路２０は、Ａ／Ｄ変換器１６からの画像データ又はメモリ制御回路２２からの画像データに対して所定の画素補間処理や色変換処理を行う。また、画像処理回路２０は、画像データを用いて所定の演算処理を行う。更に、画像処理回路２０は、得られた演算結果に基づいてＴＴＬ方式のＡＷＢ（オートホワイトバランス）処理も行う。なお、本実施形態では、後述する測距部４２及び測光部４６を専用に備える構成としている。このため、測距部４２及び測光部４６を用いてＡＦ処理、ＡＥ処理、ＥＦ処理の各処理を行い、画像処理回路２０を用いたＡＦ処理、ＡＥ処理、ＥＦ処理の各処理を行わないようにしてもよい。また、測距部４２及び測光部４６を用いてＡＦ処理、ＡＥ処理、ＥＦ処理の各処理を行い、更に、画像処理回路２０を用いたＡＦ処理、ＡＥ処理、ＥＦ処理の各処理を行うようにしてもよい。
【００１０】
システム制御回路５０は、撮像装置１００全体の制御を行う。システム制御回路５０は、画像処理回路２０による演算結果に基づいて、後述するシャッター制御部４０、レンズユニット３００側の測距制御部３４２及び絞り制御部３４０に対して、ＡＦ（オートフォーカス）処理、ＡＥ（自動露出）処理等の制御を行う。
【００１１】
メモリ制御回路２２は、Ａ／Ｄ変換器１６、タイミング発生回路１８、画像処理回路２０、画像表示メモリ２４、Ｄ／Ａ変換器２６、メモリ３０及び圧縮伸長回路３２を制御する。メモリ制御回路２２は、画像処理回路２０で処理された画像データ、又はＡ／Ｄ変換器１６で変換された画像データを画像表示メモリ２４又はメモリ３０に書き込む。
【００１２】
また、撮像装置１００は、画像表示部２８、メモリ３０、圧縮伸長回路３２を含んでいる。画像表示部２８は、例えば液晶モニタであり、画像表示メモリ２４に書き込まれた表示用の画像データを、Ｄ／Ａ変換器２６を介して表示する。なお、画像表示部２８を用いて撮像した画像データを逐次表示すれば、電子ファインダ機能を実現することができる。画像表示部２８では、システム制御回路５０の指示により任意に表示をＯＮ／ＯＦＦすることができる。画像表示部２８の表示をＯＦＦにした場合、撮像装置１００の電力消費を大幅に低減することができる。
【００１３】
メモリ３０は、撮影した静止画像や動画像を記憶するための記憶部である。メモリ３０は、所定枚数の静止画像や所定時間の動画像を記憶するのに十分な記憶量を有している。したがって、メモリ制御回路２２は、複数枚の静止画像を連続して撮影する連射撮影やパノラマ撮影の場合であっても、高速かつ大量の画像データをメモリ３０に書き込むことができる。なお、メモリ３０はシステム制御回路５０の作業領域としても使用することができる。
【００１４】
圧縮伸長回路３２は、適応離散コサイン変換（ＡＤＣＴ）等により画像データを圧縮伸長する処理を行う。圧縮伸長回路３２は、メモリ３０に記憶された画像データを読み込んで圧縮処理又は伸長処理を行い、処理を行った画像データをメモリ３０に書き込む。
【００１５】
また、撮像装置１００は、シャッター制御部４０、測距部４２、測光部４６を含んでいる。シャッター制御部４０は、測光部４６からの測光情報に基づいて、レンズユニット３００側の絞り３１２を制御する絞り制御部３４０と連携しながら、シャッター１２を制御する。
測距部４２は、レンズユニット３００を通過した光束をカメラマウント１０６、ミラー１３０及び図示しないＡＦ用サブミラーを介して、測距部４２に入射させ、撮像素子１４上におけるレンズユニット３００の合焦状態を測定する。
測光部４６は、レンズユニット３００を通過した光束を、カメラマウント１０６、ミラー１３０及び図示しない測光用レンズを介して、測光部４６に入射させて、画像の露出状態を測定する。また、測光部４６は、フラッシュ４８と連携することによりＥＦ処理機能も有する。
【００１６】
なお、撮像素子１４による画像データを画像処理回路２０で演算した演算結果に基づき、システム制御回路５０がビデオＴＴＬ方式を用いた露出制御及びＡＦ制御を行なうことも可能である。この制御は、システム制御回路５０がシャッター制御部４０、絞り制御部３４０、測距制御部３４２に対して行う。また、測距部４２による測定結果と、撮像素子１４によって撮像した画像データを画像処理回路２０によって演算した演算結果とを用いてＡＦ制御を行ってもよい。そして、測光部４６による測定結果と、撮像素子１４によって撮像した画像データを画像処理回路２０によって演算した演算結果とを用いて露出制御を行ってもよい。
【００１７】
また、撮像装置１００は、インターフェース１２０、コネクタ１２２、フラッシュ４８、メモリ５２、表示部５４、不揮発性メモリ５６を含んでいる。
インターフェース１２０は、カメラマウント１０６内において、撮像装置１００をレンズユニット３００と接続するためのインターフェースである。
コネクタ１２２は、撮像装置１００とレンズユニット３００とを電気的に接続し、両者の間で制御信号、状態信号、データ信号等を伝達し合うと共に、各種電圧の電流を供給する機能も備えている。また、コネクタ１２２は、電気通信のみならず、光通信、音声通信等を伝達する構成としてもよい。
フラッシュ４８は、ＡＦ補助光の投光機能、フラッシュ調光機能も有する。
メモリ５２は、システム制御回路５０の動作用の定数、変数及びプログラム等を記憶する記憶部である。
【００１８】
表示部５４は、システム制御回路５０でのプログラムの実行に応じて、文字、画像、音声等を用いて動作状態やメッセージ等を表示する液晶表示装置やスピーカー等の表示部である。表示部５４は、撮像装置１００の操作部近辺の視認し易い位置に単数又は複数個所設置され、例えばＬＣＤやＬＥＤ、発音素子等の組み合わせにより構成されている。また、表示部５４は、その一部の機能が光学ファインダ１０４内に配置されている。
【００１９】
なお、表示部５４の表示内容のうちＬＣＤ等に表示するものは、例えば、シングルショット／連写撮影表示、セルフタイマー表示、圧縮率表示、記録画素数表示、記録枚数表示、残撮影可能枚数表示、シャッタースピード表示、絞り値表示等がある。また、表示部５４のＬＣＤ等に表示するものとして、露出補正表示、フラッシュ表示、赤目緩和表示、マクロ撮影表示、ブザー設定表示、時計用電池残量表示、電池残量表示、エラー表示、複数桁の数字による情報表示等がある。更に、表示部５４のＬＣＤ等に表示するものとして、記録媒体２００，２１０の着脱状態表示、レンズユニット３００の着脱状態表示、通信Ｉ／Ｆ動作表示、日付け・時刻表示、外部コンピュータとの接続状態を示す表示等がある。
【００２０】
また、表示部５４の表示内容のうち、光学ファインダ１０４に表示するものとして、例えば合焦表示、撮影準備完了表示、手振れ警告表示、フラッシュ充電／充電完了表示、シャッタースピード表示、絞り値表示、露出補正表示、記録媒体書込み動作表示等がある。
更に、表示部５４の表示内容のうち、ＬＥＤ等に表示するものとして、例えば、合焦表示、撮影準備完了表示、手振れ警告表示、フラッシュ充電／充電完了表示、記録媒体書き込み動作表示、マクロ撮影設定通知表示、二次電池充電状態表示等がある。
更に、表示部５４の表示内容のうち、ランプ等に表示するものとしては、例えば、セルフタイマー通知ランプ等がある。このセルフタイマー通知ランプは、ＡＦ補助光と共用してもよい。
不揮発性メモリ５６は、電気的に消去・記録可能なメモリであり、例えばＥＥＰＲＯＭ等が用いられる。
【００２１】
撮像装置１００は、モードダイアルスイッチ６０、シャッタースイッチ（ＳＷ１）６２、シャッタースイッチ（ＳＷ２）６４、再生スイッチ６６、ダークノイズ補正処理スイッチ６８及び操作部７０、電源スイッチ７２を含んでいる。これらは、ユーザがシステム制御回路５０に対して、各種の動作指示を入力するためのものであり、例えばスイッチ、ダイアル、タッチパネル、視線検知によるポインティング、音声認識装置等の単数又は複数の組み合わせで構成される。
モードダイアルスイッチ６０は、自動撮影モード、プログラム撮影モード、シャッター速度優先撮影モード、絞り優先撮影モード、マニュアル撮影モード、焦点深度優先（デプス）撮影モード、ポートレート撮影モード等を切り替え設定することができる。また、モードダイアルスイッチ６０は、風景撮影モード、接写撮影モード、スポーツ撮影モード、夜景撮影モード、パノラマ撮影モード等の各機能撮影モードを切り替え設定することができる。
【００２２】
シャッタースイッチ（ＳＷ１）６２は、図示しないシャッターボタンが半押しされるとＯＮとなり、ＡＦ処理、ＡＥ処理、ＡＷＢ処理及びＥＦ処理等の動作開始を指示する。
シャッタースイッチ（ＳＷ２）６４は、図示しないシャッターボタンが全押しされるとＯＮとなり、撮影に関する一連の処理の動作開始を指示する。すなわち、シャッタースイッチ（ＳＷ２）６４のＯＮにより、撮像素子１４から読み出した信号をＡ／Ｄ変換器１６、メモリ制御回路２２を介してメモリ３０に画像データを書き込む露光処理等の動作開始を指示する。また、シャッタースイッチ（ＳＷ２）６４のＯＮにより、画像処理回路２０やメモリ制御回路２２での演算を用いた現像処理の動作開始を指示する。更に、シャッタースイッチ（ＳＷ２）６４のＯＮにより、メモリ３０から画像データを読み出し、圧縮伸長回路３２で圧縮を行い、記録媒体２００，２１０に画像データを書き込む記録処理の動作開始を指示する。
【００２３】
再生スイッチ６６は、撮影した画像データをメモリ３０、記録媒体２００、２１０から読み出して画像表示部２８によって表示する再生動作の開始を指示する。
ダークノイズ補正処理スイッチ６８は、ダークノイズ補正処理を行うモードと、ダークノイズ補正処理を行わないモードとを選択して設定することができる。
【００２４】
操作部７０は、各種ボタンやタッチパネル等から構成されている。操作部７０には、メニューボタン、セットボタン、マクロボタン、マルチ画面再生改ページボタン、フラッシュ設定ボタン、単写／連写／セルフタイマー切り替えボタン、メニュー移動＋（プラス）ボタン等がある。また、操作部７０には、メニュー移動−（マイナス）ボタン、再生画像移動＋（プラス）ボタン、再生画像−（マイナス）ボタン、撮影画質選択ボタン、露出補正ボタン、日付／時間設定ボタン等がある。更に、操作部７０には、パノラマモード等の撮影及び再生を実行する際に各種機能の選択及び切り替えを設定する選択／切り替えボタン、パノラマモード等の撮影及び再生を実行する際に各種機能の決定及び実行を設定する決定／実行ボタン等がある。更に、操作部７０には、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ等がある。
【００２５】
更に、操作部７０には、ＪＰＥＧ圧縮の圧縮率を選択するため或いは撮像素子の信号をそのままディジタル化して記録媒体に記録するＣＣＤＲＡＷモードを選択するためのスイッチである圧縮モードスイッチ等がある。更に、操作部７０には、再生モード、マルチ画面再生・消去モード、ＰＣ接続モード等の各機能モードを設定することができる再生スイッチや、ＡＦモード設定スイッチ等がある。ＡＦモード設定スイッチでは、ワンショットＡＦモードとサーボＡＦモードとを設定することができる。ワンショットＡＦモードとは、シャッタースイッチ（ＳＷ１）６２を押すとＡＦ動作を開始し、一旦合焦するとその合焦状態を保持するモードである。サーボＡＦモードとは、シャッタースイッチ（ＳＷ１）６２を押している間は連続してＡＦ動作を続けるモードである。
【００２６】
なお、上述したプラスボタン及びマイナスボタンの各機能は、回転ダイアルスイッチを備えることによって、より軽快に数値や機能を選択することが可能となる。
電源スイッチ７２は、撮像装置１００の電源ＯＮ／ＯＦＦの各モードを切り替え設定することができる。また、電源スイッチ７２は、撮像装置１００に接続されたレンズユニット３００、外部ストロボ、記録媒体２００，２１０等の各種付属装置の電源ＯＮ／ＯＦＦも合わせて切り替え設定することができる。
【００２７】
また、撮像装置１００は、電源制御部８０、コネクタ８２、コネクタ８４、電源部８６、インターフェース９０、インターフェース９４、コネクタ９２、コネクタ９６、記録媒体着脱検知部９８を含んでいる。
電源制御部８０は、電池検出回路、ＤＣ／ＤＣコンバータ、通電するブロックを切り替えるスイッチ回路等により構成されている。電源制御部８０は、電池の装着の有無、電池の種類、電池残量の検出を行い、検出結果及びシステム制御回路５０の指示に基づいてＤＣ／ＤＣコンバータを制御し、必要な電圧を必要な時間、記録媒体を含む各部へ供給する。
また、電源制御部８０には、コネクタ８２，８４を介して電源部８６が接続される。
コネクタ８２及びコネクタ８４は、電源部８６と撮像装置１００とを接続する。
電源部８６は、アルカリ電池、リチウム電池等の一次電池、ＮｉＣｄ電池やＮｉＭＨ電池、Ｌｉ電池等の二次電池及びＡＣアダプタ等である。
【００２８】
インターフェース９０及びインターフェース９４は、それぞれコネクタ９２，９６を介して接続されるメモリカードやハードディスク等の記録媒体２００，２１０とのインターフェースである。
記録媒体着脱検知部９８は、コネクタ９２、９６に記録媒体２００、２１０が装着されているか否かを検知する。
【００２９】
なお、本実施形態では記録媒体を取り付けるインターフェース及びコネクタを２系統有する場合について説明しているが、インターフェース及びコネクタは単数又は複数、何れかの系統数を備える構成としてもよい。また、異なる規格のインターフェース及びコネクタを組み合わせて備える構成としてもよい。
インターフェース及びコネクタとしては、ＰＣＭＣＩＡカードやＣＦ（コンパクトフラッシュ）（登録商標）カード等の規格に準拠したものを用いて構成してもよい。
【００３０】
また、インターフェース９０，９４、コネクタ９２，９６にＰＣＭＣＩＡカードやＣＦカード等の規格に準拠したものを用いた場合、各種通信カードを接続することができる。これにより、他のコンピュータやプリンタ等の周辺機器との間で画像データや画像データに付属した管理情報を送受信することができる。各種通信カードとしては、ＬＡＮカードやモデムカード、ＵＳＢカード、ＩＥＥＥ１３９４カード、Ｐ１２８４カード、ＳＣＳＩカード、ＰＨＳ等の通信カード等である。
【００３１】
また、撮像装置１００は、光学ファインダ１０４、ミラー１３０、ミラー１３２、通信部１１０、接続部１１２を含んでいる。
光学ファインダ１０４では、レンズユニット３００を通過した光束を、レンズマウント３０６、１０６、ミラー１３０、１３２を介して導き、ユーザが光学像として視認することができる。したがって、画像表示部２８による電子ファインダ機能を使用することなく、ユーザは光学ファインダ１０４のみを用いて撮影を行うことができる。
【００３２】
ミラー１３０は、半透過部を有し、レンズユニット３００を通過した光束を、ミラー１３２に反射させると共に、中央付近の一部の光束を透過させて、図示しないＡＦ用サブミラーを介して測距部４２へ導く。ミラー１３２は、ミラー１３０から反射された光束を、光学ファインダ１０４に反射させる。ここで、ミラー１３２は、クイックリターンミラー及びハーフミラーの何れであってもよい。
【００３３】
通信部１１０は、ＲＳ２３２ＣやＵＳＢ、ＩＥＥＥ１３９４、Ｐ１２８４、ＳＣＳＩ、モデム、ＬＡＮ、無線通信等の各種通信機能を有する。
接続部１１２は、通信部１１０により撮像装置１００を他の機器と接続するためのものである。有線通信の場合はコネクタであり、無線通信の場合はアンテナである。
【００３４】
また、撮像装置１００には、記録媒体２００、２１０を接続することができる。ここで、記録媒体２００、２１０は、メモリカードやハードディスク等である。記録媒体２００、２１０は、半導体メモリや磁気ディスク等から構成される記録部２０２、２１２と、撮像装置１００とのインターフェース２０４、２１４と、撮像装置１００と接続を行うコネクタ２０６、２１６とを備えている。
【００３５】
レンズユニット３００には、インターフェース３２０、コネクタ３２２、レンズマウント３０６、撮影レンズ３１０、絞り３１２を含んでいる。
インターフェース３２０は、レンズマウント３０６内において、レンズユニット３００を撮像装置１００と接続するためのインターフェースである。
コネクタ３２２は、撮像装置１００とレンズユニット３００とを電気的に接続し、両者の間で制御信号、状態信号、データ信号等を伝達し合うと共に、各種電圧の電流を供給される或いは供給する機能を備えている。なお、コネクタ３２２は、電気通信のみならず、光通信、音声通信等を伝達する構成としてもよい。
【００３６】
レンズユニット３００には、絞り制御部３４０、測距制御部３４２、ズーム制御部３４４、レンズシステム制御部３５０を含んでいる。
絞り制御部３４０は、測光部４６からの測光情報に基づいて、シャッター１２を制御するシャッター制御部４０と連携しながら、絞り３１２を制御する。
測距制御部３４２は、撮影レンズ３１０のフォーカシングを制御する。
ズーム制御部３４４は、撮影レンズ３１０のズーミングを制御する。
レンズシステム制御部３５０は、レンズユニット３００全体を制御する。レンズシステム制御部３５０は、動作用の定数、変数、プログラム等を記憶するメモリやレンズユニット３００固有の番号等の識別情報、管理情報、開放絞り値や最小絞り値、焦点距離等の機能情報、現在や過去の各設定値等を保持する不揮発メモリを備える。
【００３７】
次に、図２〜図６を参照して、撮像装置１００の動作処理について説明する。
図２及び図３は、本実施形態の撮像装置１００の動作処理のメインルーチンを示すフローチャートである。
まず、図２において、ステップＳ１０１では、電池交換等の電源投入により、システム制御回路５０はフラグや制御変数等を初期化し、撮像装置１００の各部において必要な所定の初期設定を行う。
【００３８】
次に、ステップＳ１０２では、システム制御回路５０は、電源スイッチ７２の設定位置を判定する。電源スイッチ７２が電源ＯＮに設定されている場合、ステップＳ１０４に処理を進める。また、電源スイッチ７２が電源ＯＦＦに設定されている場合、ステップＳ１０３に処理を進める。
ステップＳ１０３では、システム制御回路５０は、各表示部の表示を終了状態に変更する。また、システム制御回路５０は、所定の終了処理を行い、ステップＳ１０２の処理に戻る。ここで、所定の終了処理とは、例えば、フラグや制御変数等を含む必要なパラメータや設定値、設定モードを不揮発性メモリ５６に記録し、電源制御部８０により画像表示部２８を含む撮像装置１００各部の不要な電源を遮断する等の処理である。
【００３９】
一方、ステップＳ１０４では、システム制御回路５０は、電源制御部８０により電池等の電源部８６の残容量や動作状況が撮像装置１００の動作に支障があるか否かを判定する。電源部８６において、撮像装置の動作等に支障がない場合、ステップＳ１０６に処理を進める。電源部８６において、撮像装置の動作等に支障がある場合、ステップＳ１０５に処理を進める。
ステップＳ１０５では、システム制御回路５０は、表示部５４を用いて画像や音声により所定の警告表示を行い、ステップＳ１０２の処理に戻る。
【００４０】
一方、ステップＳ１０６では、システム制御回路５０は、モードダイアルスイッチ６０の設定位置を判断する。モードダイアルスイッチ６０が撮影モードに設定されている場合、ステップＳ１０８に処理を進める。モードダイアルスイッチ６０がその他のモードに設定されている場合、ステップＳ１０７に処理を進める。
ステップＳ１０７では、システム制御回路５０は、選択されたモードに応じた処理を実行し、その後ステップＳ１０２の処理に戻る。
【００４１】
ステップＳ１０８では、システム制御回路５０は、記録媒体２００，２１０が装着されているか否かを判定する。ここでは、システム制御回路５０は、記録媒体２００，２１０に記録された画像データの管理情報の取得処理を行なう。システム制御回路５０は、記録媒体２００，２１０の動作状態が撮像装置１００の動作、特に記録媒体２００，２１０に対する画像データの記録再生動作に支障があるか否かを判定する。記録媒体が装着されていて、動作に支障がない場合、ステップＳ１０９に処理を進める。記録媒体が装着されていない場合や動作に支障がある場合、ステップＳ１０５に処理を進める。ステップＳ１０５では、システム制御回路５０は、表示部５４を用いて画像や音声により所定の警告表示を行い、ステップＳ１０２の処理に戻る。
【００４２】
一方、ステップＳ１０９では、システム制御回路５０は、表示部５４を用いて画像や音声により撮像装置１００の各種設定状態を表示する。ここで、画像表示部２８の画像表示がＯＮであれば、システム制御回路５０は、画像表示部２８も用いて画像や音声により撮像装置１００の各種設定状態を表示する。その後、図３に示すフローチャートのステップＳ１２１に処理を進める。
【００４３】
ステップＳ１２１では、システム制御回路５０は、シャッタースイッチ（ＳＷ１）６２のＯＮ／ＯＦＦを判定する。ＯＦＦの場合、ステップＳ１０２の処理に戻る。ＯＮの場合、ステップＳ１２２に処理を進める。
ステップＳ１２２では、システム制御回路５０は、撮影レンズ３１０の焦点を被写体に合わせて測距処理を行う。また、システム制御回路５０は、測光処理を行って絞り値及びシャッター時間を決定する。なお、システム制御回路５０は、必要であれば、測光処理においてフラッシュの設定も行う。その後、ステップＳ１２３に処理を進める。
【００４４】
ステップＳ１２３では、システム制御回路５０は、シャッタースイッチ（ＳＷ２）６４のＯＮ／ＯＦＦを判定する。ＯＮの場合、ステップＳ１２５に処理を進める。ＯＦＦの場合、ステップＳ１２４に処理を進め、シャッタースイッチ（ＳＷ１）６２がＯＦＦになるまで、ステップＳ１２３とステップＳ１２４の処理を繰り返す。ステップＳ１２４では、システム制御回路５０は、シャッタースイッチ（ＳＷ１）６２のＯＮ／ＯＦＦを判定して、ＯＦＦの場合、ステップＳ１０２の処理に戻る。
【００４５】
一方、ステップＳ１２５では、システム制御回路５０は、撮影した画像データを記憶可能な画像記憶バッファ領域がメモリ３０にあるか否かを判定する。ここで、メモリ３０の画像記憶バッファ領域に新たな画像データを記憶可能な領域がない場合とは、例えば、次の状態である。すなわち、メモリ３０の画像記憶バッファ領域に記憶可能な最大枚数の連写撮影を行った直後で、メモリ３０から読み出して記録媒体２００，２１０に書き込むべき最初の画像が記録媒体２００，２１０に未記録な状態である。この場合、システム制御回路５０では、１枚の空き領域もメモリ３０の画像記憶バッファ領域上に確保することができない。
【００４６】
なお、撮影した画像データを圧縮処理してからメモリ３０の画像記憶バッファ領域に記憶する場合は、圧縮した後の画像データ量が圧縮モードの設定に応じて異なることを考慮する必要がある。この場合、システム制御回路５０は、記憶可能な領域がメモリ３０の画像記憶バッファ領域上にあるかどうかをステップＳ１２５において判定することになる。記憶可能な画像記憶バッファ領域がある場合、ステップＳ１２７に処理を進める。記憶可能な画像記憶バッファ領域がない場合、ステップＳ１２６に処理を進める。
ステップＳ１２６では、システム制御回路５０は、表示部５４を用いて画像や音声により所定の警告表示を行い、ステップＳ１０２の処理に戻る。
【００４７】
一方、ステップＳ１２７では、システム制御回路５０は、撮像して所定時間蓄積した撮像信号を撮像素子１４から読み出す。そして、システム制御回路５０は、撮像素子１４から読み出した撮像信号を基に、Ａ／Ｄ変換器１６及び画像処理回路２０、或いはＡ／Ｄ変換器１６を介して画像データを生成する。画像データを生成後、システム制御回路５０は、メモリ制御回路２２を介して、メモリ３０の所定領域に書き込む撮影処理を実行する。
【００４８】
次に、ステップＳ１２８では、システム制御回路５０は、メモリ３０の所定領域へ書き込まれた画像データの一部をメモリ制御回路２２を介して読み出す。そして、システム制御回路５０は、現像処理を行うために必要なＷＢ（ホワイトバランス）積分演算処理、ＯＢ（オプティカルブラック）積分演算処理を行い、演算結果をシステム制御回路５０の内部メモリ或いはメモリ５２に記憶する。
【００４９】
また、システム制御回路５０は、メモリ制御回路２２、及び必要に応じて画像処理回路２０を用いて、メモリ３０の所定領域に書き込まれた画像データを読み出す。そして、システム制御回路５０は、システム制御回路５０の内部メモリ或いはメモリ５２に記憶した演算結果を用いて、ＡＷＢ（オートホワイトバランス）処理、ガンマ変換処理、色変換処理を含む各種現像処理を行う。
【００５０】
ステップＳ１２９では、システム制御回路５０は、設定したモードに応じた画像圧縮処理及び記録処理を行う。詳細については、図４に示すフローチャートを参照して、後述する。この記録開始処理は、メモリ３０の画像記憶バッファ領域の空き画像部分に、撮影して一連の処理を終えた画像データの書き込みが新たに行われる度に、その画像データに対して実行される。なお、記録媒体２００，２１０に画像データの書き込みを行っている間、書き込み動作中であることを明示するために、システム制御回路５０は、表示部５４において例えばＬＥＤを点滅させる等の記録媒体書き込み動作表示を行う。ステップＳ１２９の処理が終了した後、ステップＳ１２１の処理に戻る。
【００５１】
次に、図４に示すフローチャートを参照して、図３のステップＳ１２９における設定したモードに応じた画像圧縮処理について説明する。
まず、ステップＳ２０１では、システム制御回路５０は、不揮発性メモリ５６から読み出した記録画質の設定が第２の記録画質のみであるか否かを判定する。この処理は、記録画質検出手段の一例に対応する。ここでは、第２の記録画質としては、画像データを圧縮して記録するＪＰＥＧを取り上げる。記録画質の設定がＪＰＥＧのみ以外の場合、ステップＳ２０３に処理を進める。記録画質の設定がＪＰＥＧのみの場合、ステップＳ２０２に処理を進める。
【００５２】
ステップＳ２０２では、システム制御回路５０は、ＪＰＥＧ画像ファイルを生成して、設定した撮影モードに応じた画像圧縮処理ルーチンである図３のステップＳ１２９を終了する。ＪＰＥＧ画像ファイルの生成については、後述する図５のフローチャートで説明する。
【００５３】
一方、ステップＳ２０３では、システム制御回路５０は、不揮発性メモリ５６から読み出した記録画質の設定が第２の記録画質を含まない第１の記録画質のみか否かを判定する。ここで、第１の記録画質としては、画像処理する前の画像データであるＲＡＷを取り上げる。なお、ＲＡＷは、一般的に、一部のビューワでのみ表示することができる。記録画質の設定がＲＡＷのみの場合、ステップＳ２０６に処理を進める。記録画質の設定がＲＡＷのみ以外の場合、ステップＳ２０４に処理を進める。
【００５４】
ステップＳ２０４では、システム制御回路５０は、ＲＡＷ画像ファイルの生成をする。ＲＡＷ画像ファイルの生成については、後述する図６のフローチャートで説明する。次に、ステップＳ２０５では、システム制御回路５０は、ＪＰＥＧ画像ファイルを生成して、設定した撮影モードに応じた画像圧縮処理ルーチンである図３のステップＳ１２９を終了する。
【００５５】
ステップＳ２０６では、システム制御回路５０は、不揮発性メモリ５６から読み出した撮影モードの設定が所定の撮影モードであるか否かを判定する。この処理は撮影モード検出手段の一例に対応する。ここで、所定の撮影モードとは、いわゆる簡単撮影モードであり、全ての撮影条件を自動的に設定する撮影モードと、ユーザが選択するシーンの撮影条件に自動的に設定する撮影モードとを含む。撮影モードが簡単撮影モードの場合、ステップＳ２０８に処理を進める。撮影モードが簡単撮影モードでない場合、ステップＳ２０７に処理を進める。ここで、簡単撮影モードでない場合とは、いわゆる応用撮影モードであり、撮影条件の一部又は全部をユーザが設定する撮影モードである。ここで、応用撮影モードには、撮影条件の一部又は全部をユーザが設定する撮影モードの他に、所定の撮影条件を優先させて他の撮影条件を自動的に設定するモードと、被写体の明るさに応じて、シャッター速度と絞り数値を自動的に設定するプログラム撮影モードとを含む。
【００５６】
ステップＳ２０７では、システム制御回路５０は、ＲＡＷ画像ファイルを生成して、設定した撮影モードに応じた画像圧縮処理ルーチンである図３のステップＳ１２９を終了する。
一方、ステップＳ２０８では、システム制御回路５０は、ＲＡＷ画像ファイルの生成をする。次に、ステップＳ２０９では、システム制御回路５０は、ＪＰＥＧ画像ファイルを生成して、設定したモードに応じた画像圧縮処理ルーチンである図３のステップＳ１２９を終了する。
【００５７】
次に、図５を参照して、図４のステップＳ２０２、ステップＳ２０５及びステップＳ２０９におけるＪＰＥＧ画像ファイルの生成処理について説明する。
まず、ステップＳ３０１では、システム制御回路５０は、メモリ３０の所定領域に書き込まれた画像データを読み出す。次に、システム制御回路５０は、ＪＰＥＧ圧縮方式（非可逆圧縮方式）に従って画像圧縮処理を圧縮伸長回路３２により行なう。
【００５８】
ステップＳ３０２では、システム制御回路５０は、メモリ３０の画像記憶バッファ領域の空き画像部分に、ステップＳ３０１において画像圧縮処理がされた画像データ及び画像情報等の書き込みを行なう。
ステップＳ３０３では、システム制御回路５０は、画像データをＪＰＥＧ画像ファイルとして、インターフェース９０，９４、コネクタ９２，９６を介して、記録媒体２００，２１０に書き込みを行う記録処理を開始する。この処理は、記録処理手段の一例に対応する。
【００５９】
次に、図６を参照して、図４のステップＳ２０４、ステップＳ２０７及びステップＳ２０８におけるＲＡＷ画像ファイルの生成処理について説明する。
まず、ステップＳ４０１では、システム制御回路５０は、メモリ３０の所定領域に書き込まれた画像データを読み出す。次に、システム制御回路５０は、ロスレス圧縮方式（可逆圧縮方式）に従って画像圧縮処理を圧縮伸長回路３２により行なう。
【００６０】
ステップＳ４０２では、システム制御回路５０は、メモリ３０の画像記憶バッファ領域の空き画像部分に、ステップＳ４０１において画像圧縮処理がされた画像データ及び画像情報等の書き込みを行なう。
ステップＳ４０３では、システム制御回路５０は、画像データをＲＡＷ画像ファイルとして、インターフェース９０，９４、コネクタ９２，９６を介して、記録媒体２００，２１０に書き込みを行う記録処理を開始する。この処理は、記録処理手段の一例に対応する。
【００６１】
次に、図７及び図８を参照して、ユーザが記録画質を選択する一例について説明する。
図７及び図８は、ユーザは記録画質を選択するための設定画面の一例を示す図である。この設定画面は、システム制御回路５０が画像表示部２８に表示する。この処理は、表示処理手段の一例に対応する。
また、図７に示すように、システム制御回路５０は、複数の記録画質７００ａ〜７００ｔを表示している。例えば、記録画質７００ａは、画質をファインとし、サイズをラージとして、ＪＰＥＧ画像ファイルを記録することを示す。また、記録画質７００ｇは、上述した記録画質７００ａのＪＰＥＧ画像ファイルと同時にＲＡＷ画像ファイルも記録することを示す。また、記録画質７００ｓは、ＲＡＷ画像ファイルのみを記録することを示す。
【００６２】
また、図７に示すように、システム制御回路５０は、記録画質７００ａ〜７００ｔのうちからユーザが選択するための選択枠７０１を表示する。ユーザの操作に応じてシステム制御回路５０は、選択枠７０１を移動する。また、システム制御回路５０は、選択枠７０１によって選択された記録画質の詳細な記録画素数７０２を表示する。
【００６３】
図８は、ユーザが記録画質７００ｓを選択した状態を示す図である。上述したように記録画質７００ｓは、ＲＡＷ画像ファイルのみを記録することを示すものである。しかし、図４に示すフローチャートのステップＳ２０６、ステップＳ２０９で説明したように、撮影モードが簡単撮影モードの場合、ＲＡＷ画像ファイルと共にＪＰＥＧ画像ファイルも生成する。したがって、システム制御回路５０は、図８に示す表示欄８００に第２の記録画質の画像データを記録する旨を表示する。ここでは、システム制御回路５０は、表示欄８００に「簡単撮影モードに設定して撮影すると、ラージファインのＪＰＥＧ画像ファイルも一緒に作成される」旨のメッセージを表示している。
【００６４】
このように、ＪＰＥＧを含む記録画質７００ａ〜７００ｒが選択（フォーカス）されたとき、システム制御回路５０は、何もメッセージを表示しない。一方、撮影モードの設定にかかわらず、ＲＡＷのみの記録画質７００ｓ、７００ｔが選択（フォーカス）されたときのみ、システム制御回路５０は、メッセージを表示する。このように、ＪＰＥＧを含む記録画質の選択の表示（図７）と、ＲＡＷのみの記録画質の選択の表示（図８）とに差をつけている。表示に差をつけることにより、ＪＰＥＧを含む設定では、他のファイルタイプの画像が作成されないことをユーザに知らせることが可能である。また、ユーザは、ＲＡＷのみで且つ簡単撮影モードの設定での撮影は、ＲＡＷ画像と共にラージファインのＪＰＥＧ画像が同時に記録されることを認識することができる。
【００６５】
なお、ユーザは、選択枠７０１で記録画質７００ａ〜７００ｔの何れかを選択した状態で、セットボタンを押下すると、システム制御回路５０は、選択された記録画質を検出する。この処理は選択検出手段の一例に対応する。システム制御回路５０は、検出した記録画質を不揮発性メモリ５６に記憶する。
【００６６】
次に、図９を参照して、記録画質設定でＲＡＷのみが設定され、且つ撮影モードで簡単撮影モードが設定されているときの設定表示例について説明する。この設定表示は、表示部５４又は画像表示部２８に表示させる。図９に示すようにシステム制御回路５０は、設定表示画面において、ＩＳＯ感度ＡＵＴＯ９００、ポートレート９０１、オートホワイトバランス９０２等を表示している。また、システム制御回路５０は、ＲＡＷのみが設定され、且つ撮影モードが簡単撮影モードのとき、ＲＡＷ画像と共にラージファインのＪＰＥＧ画像が一緒に作成されることを示している。具体的には、システム制御回路５０は、“ＲＡＷ”アイコン９０３と、“ラージファイン”アイコン９０４とを表示する。ここで、“ラージファイン”アイコン９０４はＪＰＥＧ画像ファイルが記録されることを示すアイコンである。ここでは、システム制御回路５０は、“ＲＡＷ”アイコン９０３を例えば、白色で表示し、“ラージファイン”アイコン９０４を“ＲＡＷ”アイコン９０３と異なる色で表示する。このように、“ラージファイン”を目立たせることにより、ユーザは設定した記録画質と異なる記録画質の画像ファイルも作成されることを認識することができる。
【００６７】
次に、図１０を参照して、撮影モードを設定するモードダイアルスイッチ６０の一例を示す。図１０に示すモードダイアルスイッチ６０は、応用撮影モード１００１と簡単撮影モード１００２とが含まれており、他のモードは含まれていない。
応用撮影モード１００１には、プログラム撮影モード１００１ａ、シャッター速度優先モード１００１ｂ、絞り優先撮影モード１００１ｃ、マニュアル撮影モード１００１ｄ、焦点深度優先撮影モード１００１ｅ等がある。
簡単撮影モード１００２には、自動撮影モード１００２ａ、ポートレート撮影モード１００２ｂ、風景撮影モード１００２ｃ、接写撮影モード１００２ｄ、スポーツ撮影モード１００２ｅ、夜景撮影モード１００２ｆ、ストロボ発光禁止モード１００２ｇ等がある。
ユーザが何れかのモードを設定することにより、システム制御回路５０は、応用撮影モード又は簡単撮影モードの何れかを検出する。なお、撮影モードの設定方法は上述したようなものに限られない。例えば、システム制御回路５０は、画像表示部２８に選択できるような設定画面を表示し、ユーザが選択ボタンを介して選択できるように構成してもよい。
【００６８】
本実施形態によれば、記録画質の設定に関わらず、ＪＰＥＧの記録画質を含まないＲＡＷの記録画質のみの設定を検出した場合であっても、撮影モードに簡単撮影モードが設定されている場合、ＲＡＷ画像ファイルと共にＪＰＥＧ画像ファイルも記録する。したがって、記録画質の設定を変更することで、簡単撮影モードの記録画質の設定も変更するので、記録画質の設定の操作性が向上する。
【００６９】
更に、撮影モードに簡単撮影モードを設定するユーザは、カメラに不慣れなユーザが多いと考えられ、例えば誤って記録画質にＲＡＷのみを選択する場合がある。このような場合において、従来では簡単撮影モードが設定されている場合、設定通り、ＲＡＷ画像ファイルのみを作成してしまうことがある。ここで、ＲＡＷ画像ファイルは、一部のビューワでしか表示することができない場合が多い。したがって、ユーザは、ＲＡＷ画像ファイルを表示させることができず、戸惑ってしまう恐れがある。
【００７０】
それで、本実施形態のように、記録画質にＲＡＷのみが選択されているときであっても、簡単撮影モードが設定されているときには、一般的なビューアで表示できるＪＰＥＧ画像ファイルを作成する。このようにすることで、ユーザは戸惑うことなく、撮像した画像データを表示させることができる。
【００７１】
なお、本実施形態では、第１の記録画質としては、ＲＡＷを取り上げて説明した。しかしながら、ＲＡＷ画像ファイルのみに限られず、他のロスレス圧縮した画像ファイルや、一般的でない圧縮方式をとっているファイルを対象にしてもよい。また、ＲＡＷのみ設定で、且つ撮影モードが簡単撮影モードのときに“ラージファイン”のＪＰＥＧファイルを作成する場合について説明した。しかしながら、ファイルサイズやＪＰＥＧ画質は“ラージ”、“ファイン”以外であってもよく、ユーザが選択できる方式であってもよい。
【００７２】
上述した本発明の実施形態における撮像装置の各手段又は記録処理方法の各ステップは、コンピュータのＲＡＭやＲＯＭ等に記憶されたプログラムが動作することによって実現できる。このプログラム及び前記プログラムを記録したコンピュータ読み取り可能な記録媒体は本発明に含まれる。
【００７３】
また、本発明は、例えば、システム、装置、方法、プログラムもしくは記録媒体等としての実施形態も可能であり、具体的には、複数の機器からなるシステムに適用してもよい。
【００７４】
なお、本発明は、上述した実施形態の機能を実現するソフトウェアのプログラムを、システム又は装置に直接、又は遠隔から供給する。そして、そのシステム又は装置のコンピュータが前記供給されたプログラムコードを読み出して実行することによっても達成される場合を含む。
【００７５】
従って、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【００７６】
また、コンピュータが、読み出したプログラムを実行することによって、前述した実施形態の機能が実現される。更に、そのプログラムの指示に基づき、コンピュータ上で稼動しているＯＳ等が、実際の処理の一部又は全部を行い、その処理によっても前述した実施形態の機能が実現され得る。
【００７７】
更に、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵ等が実際の処理の一部又は全部を行い、その処理によっても前述した実施形態の機能が実現される。
【図面の簡単な説明】
【００７８】
【図１】撮像装置の制御ブロックの一例を示す図である。
【図２】撮像装置の動作処理のメインルーチンを示すフローチャートである。
【図３】撮像装置の動作処理のメインルーチンを示すフローチャートである。
【図４】撮像装置の画像圧縮処理及び記録処理を示すフローチャートである。
【図５】撮像装置のＪＰＥＧ画像ファイルの記録処理を示すフローチャートである。
【図６】撮像装置のＲＡＷ画像ファイルの記録処理を示すフローチャートである。
【図７】記録画質を選択するための設定画面の一例を示す図である。
【図８】記録画質を選択するための設定画面の一例を示す図である。
【図９】設定表示画面の一例を示す図である。
【図１０】撮影モードダイヤルの一例を示す図である。
【符号の説明】
【００７９】
１００        撮像装置
５０          システム制御回路
３２          圧縮伸長回路
５４          表示部
５６          不揮発性メモリ
６０          モードダイアルスイッチ
１００１      応用撮影モード
１００２      簡単撮影モード
【図１】
2010093458.tif 000003
【図２】
2010093458.tif 000004
【図３】
2010093458.tif 000005
【図４】
2010093458.tif 000006
【図５】
2010093458.tif 000007
【図６】
2010093458.tif 000008
【図７】
2010093458.tif 000009
【図８】
2010093458.tif 000010
【図９】
2010093458.tif 000011
【図１０】
2010093458.tif 000012